【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
通信装置の動作を監視する通信ネットワークテスト装置と通信するための通信装置であって、
前記通信装置は、
前記通信装置に関連付けられた複数の通信ベアラを運用する手段と、
テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断する（determining）手段と、
前記部分集合内の各通信ベアラが使用され、かつ、前記部分集合以外の各通信ベアラが使用されないテストに従って、前記通信ネットワークテスト装置と通信する手段と、
を備える。
【請求項２】
前記通信ネットワークテスト装置からメッセージを受信する手段をさらに備え、
前記メッセージは、前記部分集合内の各通信ベアラを識別するデータを含み、
前記判断する手段は、前記部分集合内の各通信ベアラを識別する前記データに基づいて前記部分集合を判断する
請求項１に記載の通信装置。
【請求項３】
前記通信ネットワークテスト装置からメッセージを受信する手段をさらに備え、
前記メッセージは、前記部分集合以外の各通信ベアラを識別するデータを備え、
前記判断する手段は、前記部分集合以外の各通信ベアラを識別する前記データに基づいて前記部分集合を判断する
請求項１に記載の通信装置。
【請求項４】
前記メッセージは、前記通信装置に関連付けられた前記複数の通信ベアラの各通信ベアラに関連付けられた少なくとも１つの個別のビットを含むビットパターンを備える
請求項２又は３に記載の通信装置。
【請求項５】
前記ビットのそれぞれは、前記通信ベアラが前記部分集合内である場合に、所定の値が設定される
請求項４に記載の通信装置。
【請求項６】
前記メッセージは、前記通信装置に関連付けられた前記複数の通信ベアラのデフォルトの通信ベアラに関連付けられた少なくとも１つの個別のビットを含むビットパターンを備える
請求項２又は３に記載の通信装置。
【請求項７】
前記ビットのそれぞれは、前記デフォルトの通信ベアラ及び任意の関連付けられた通信ベアラが前記部分集合内である場合に、所定の値が設定される
請求項６に記載の通信装置。
【請求項８】
前記メッセージは、前記部分集合の各通信ベアラについてのベアラ識別子（例えば、Evolved Packet System（EPS）ベアラID、又は、EBI）を含む
請求項２から７のいずれか１項に記載の通信装置。
【請求項９】
前記メッセージは、Non-Access Stratum（NAS）メッセージを含む
請求項２から８のいずれか１項に記載の通信装置。
【請求項１０】
前記NASメッセージは、少なくとも１つのRadio Resource Control（RRC）メッセージに組み込まれる
請求項９に記載の通信装置。
【請求項１１】
前記少なくとも１つのメッセージは、ダウンリンク情報転送メッセージを含む
請求項１０に記載の通信装置。
【請求項１２】
前記テストは、ループバックテストである
請求項１から１１のいずれか１項に記載の通信装置。
【請求項１３】
請求項１から１２のいずれか１項に記載の前記通信装置、及び、前記通信ネットワークテスト装置を備える通信システム。
【請求項１４】
通信装置の動作を監視する通信ネットワークテスト装置と通信するための通信装置により実行される方法であって、
前記方法は、
前記通信装置に関連付けられた複数の通信ベアラを確立し、
テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断し（determining）、
前記部分集合内の各通信ベアラが使用され、かつ、前記部分集合以外の各通信ベアラが使用されないテストに従って、前記通信ネットワークテスト装置と通信する。
【請求項１５】
通信装置の動作を監視するための通信ネットワークテスト装置により実行される方法であって、
前記方法は、
前記通信装置と通信し、
前記通信装置に関連付けられた複数の通信ベアラのそれぞれを識別し、
テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断し（determining）、
前記部分集合内の各通信ベアラが使用され、かつ、前記部分集合以外の各通信ベアラが使用されないテストを開始する（initiate）。
【請求項１６】
請求項１から１２のいずれか１項に記載の前記通信装置を制御する処理をコンピュータに実行させる制御プログラム。
【手続補正２】
【補正対象書類名】明細書
【補正対象項目名】発明の名称
【補正方法】変更
【補正の内容】
【発明の名称】通信装置、通信装置により実行される方法及び通信ネットワークテスト装置により実行される方法
【手続補正３】
【補正対象書類名】明細書
【補正対象項目名】０１０６
【補正方法】変更
【補正の内容】
【０１０６】
本ソフトウェアは、様々なタイプの非一時的なコンピュータ可読媒体（non-transitory computer readable media）を用いて格納され、コンピュータに供給することができる。非一時的なコンピュータ可読媒体は、様々なタイプの実体のある記録媒体（tangible storage media）を含む。本プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ(Read Only Memory)、ＣＤ−Ｒ（compact disc recordable）、ＣＤ−Ｒ／Ｗ（compact disc rewritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable media）によってコンピュータに供給されてもよい。一時的なコンピュータ可読媒体の例は、電気信号、光信号、及び電磁波を含む。一時的なコンピュータ可読媒体は、（電線及び光ファイバ等の）有線通信路、又は無線通信路を介して、プログラムをコンピュータに供給するために使用され得る。
上記の実施形態の一部又は全部は、以下の付記のようにも記載され得るが、以下には限られない。
（付記１）
通信装置の動作を監視する通信ネットワークテスト装置と通信するための通信装置であって、
前記通信装置は、
前記通信装置に関連付けられた複数の通信ベアラを運用する手段と、
テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断する（determining）手段と、
前記部分集合内の各通信ベアラが使用され、かつ、前記部分集合以外の各通信ベアラが使用されないテストに従って、前記通信ネットワークテスト装置と通信する手段と、
を備える。
（付記２）
前記通信ネットワークテスト装置からメッセージを受信する手段をさらに備え、
前記メッセージは、前記部分集合内の各通信ベアラを識別するデータを含み、
前記判断する手段は、前記部分集合内の各通信ベアラを識別する前記データに基づいて前記部分集合を判断する
付記１に記載の通信装置。
（付記3）
前記通信ネットワークテスト装置からメッセージを受信する手段をさらに備え、
前記メッセージは、前記部分集合以外の各通信ベアラを識別するデータを備え、
前記判断する手段は、前記部分集合以外の各通信ベアラを識別する前記データに基づいて前記部分集合を判断する
付記１に記載の通信装置。
（付記4）
前記メッセージは、前記通信装置に関連付けられた前記複数の通信ベアラの各通信ベアラに関連付けられた少なくとも１つの個別のビットを含むビットパターンを備える
付記２又は３に記載の通信装置。
（付記5）
前記ビットのそれぞれは、前記通信ベアラが前記部分集合内である場合に、所定の値が設定される
付記４に記載の通信装置。
（付記6）
前記メッセージは、前記通信装置に関連付けられた前記複数の通信ベアラのデフォルトの通信ベアラに関連付けられた少なくとも１つの個別のビットを含むビットパターンを備える
付記２又は３に記載の通信装置。
（付記7）
前記ビットのそれぞれは、前記デフォルトの通信ベアラ及び任意の関連付けられた通信ベアラが前記部分集合内である場合に、所定の値が設定される
付記６に記載の通信装置。
（付記8）
前記メッセージは、前記部分集合の各通信ベアラについてのベアラ識別子（例えば、Evolved Packet System（EPS）ベアラID、又は、EBI）を含む
付記２から７のいずれか１項に記載の通信装置。
（付記9）
前記メッセージは、Non-Access Stratum（NAS）メッセージを含む
付記２から８のいずれか１項に記載の通信装置。
（付記10）
前記NASメッセージは、少なくとも１つのRadio Resource Control（RRC）メッセージに組み込まれる
付記９に記載の通信装置。
（付記11）
前記少なくとも１つのメッセージは、ダウンリンク情報転送メッセージを含む
付記１０に記載の通信装置。
（付記12）
前記テストは、ループバックテストである
付記１から１１のいずれか１項に記載の通信装置。
（付記13）
前記通信する手段は、前記部分集合の前記少なくとも１つの通信ベアラを用いて前記通信ネットワークテスト装置からテストパケットを受信する
付記１から１２のいずれか１項に記載の通信装置。
（付記14）
前記通信する手段は、前記テストの一部として、テストパケットを前記通信ネットワークテスト装置へ送信する
付記１から１３のいずれか１項に記載の通信装置。
（付記15）
前記複数の通信ベアラは、少なくとも１つのＥＰＳ通信ベアラを含む
付記１から１４のいずれか１項に記載の通信装置。
（付記16）
前記判断する手段は、前記部分集合が前記通信装置の少なくとも１つの特定の機能性（例えば、中継機能性（relay functionality）、又は、非中継機能性（non-relay functionality））に関連付けられていない通信ベアラであるように、通信ベアラを選択する
付記１から１５のいずれか１項に記載の通信装置。
（付記17）
前記判断する手段は、前記部分集合が前記通信装置の少なくとも１つの特定の機能性（例えば、中継機能性（relay functionality）、又は、非中継機能性（non-relay functionality））に関連付けられる通信ベアラであるように、通信ベアラを選択する
付記１から１６のいずれか１項に記載の通信装置。
（付記18）
前記判断する手段は、前記テストが開始されていた場合、前記テストが終了されることになっている前記部分集合の少なくとも１つの通信ベアラを判断する
付記１から１７のいずれか１項に記載の通信装置。
（付記19）
前記通信する手段は、前記テストが終了されることになっている前記部分集合の少なくとも１つの通信ベアラの終了（termination）を開始する（initiate）
付記１８に記載の通信装置。
（付記20）
前記通信する手段は、前記通信ネットワークテスト装置から前記テストを終了するためのメッセージを受信し、
前記テストを終了するためのメッセージは、前記テストが終了されることになっている各通信ベアラを識別するデータを含む
付記１９に記載の通信装置。
（付記21）
前記テストを終了するためのメッセージは、前記通信装置に関連付けられた前記複数の通信ベアラの各通信ベアラに関連付けられた少なくとも１つの個別のビットを含むビットパターンを備える
付記２０に記載の通信装置。
（付記22）
前記ビットのそれぞれは、前記テストが前記通信ベアラについて終了されることになっている場合、所定の値が設定される
付記２１に記載の通信装置。
（付記23）
前記メッセージは、前記テストが終了されることになっている前記部分集合の各通信ベアラについてのベアラ識別子（例えば、EPSベアラID、又は、EBI）を含む
付記２０又は２１に記載の通信装置。
（付記24）
前記メッセージは、ＮＡＳメッセージを含む
付記２０から２３のいずれか１項に記載の通信装置。
（付記25）
前記NASメッセージは、少なくとも１つのRRCメッセージに組み込まれる
付記２４に記載の通信装置。
（付記26）
前記少なくとも１つのメッセージは、ダウンリンク情報転送メッセージを含む
付記２５に記載の通信装置。
（付記２７）
通信装置の動作を監視するための通信ネットワークテスト装置であって、
前記通信ネットワークテスト装置は、
前記通信装置と通信する手段と、
前記通信装置に関連付けられた複数の通信ベアラのそれぞれを識別する手段と、
テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断する（determining）手段と、
前記部分集合内の各通信ベアラが使用され、かつ、前記部分集合以外の各通信ベアラが使用されないテストを開始する（initiating）手段と、
を備える。
（付記28）
前記開始する手段は、前記通信装置へメッセージを送信し、
前記メッセージは、前記部分集合内の各通信ベアラを識別するデータを含む
付記２７に記載の通信ネットワークテスト装置。
（付記29）
前記開始する手段は、前記通信装置へメッセージを送信し、
前記メッセージは、前記部分集合以外の各通信ベアラを識別するデータを含む
付記２７に記載の通信ネットワークテスト装置。
（付記30）
前記メッセージは、前記通信装置に関連付けられた前記複数の通信ベアラの各通信ベアラに関連付けられた少なくとも１つの個別のビットを含むビットパターンを備える
付記２８又は２９に記載の通信ネットワークテスト装置。
（付記31）
前記ビットのそれぞれは、前記通信ベアラが前記部分集合内である場合に、所定の値が設定される
付記３０に記載の通信ネットワークテスト装置。
（付記32）
前記メッセージは、前記通信装置に関連付けられた前記複数の通信ベアラのデフォルトの通信ベアラに関連付けられた少なくとも１つの個別のビットを含むビットパターンを備える
付記２８又は２９に記載の通信ネットワークテスト装置。
（付記33）
前記ビットのそれぞれは、前記デフォルトの通信ベアラ及び任意の関連付けられた通信ベアラが前記部分集合内である場合に、所定の値が設定される
付記３２に記載の通信ネットワークテスト装置。
（付記34）
前記メッセージは、前記部分集合の各通信ベアラについてのベアラ識別子（例えば、Evolved Packet System（EPS）ベアラID、又は、EBI）を含む
付記２８から３３のいずれか１項に記載の通信ネットワークテスト装置。
（付記35）
前記メッセージは、Non-Access Stratum（NAS）メッセージを含む
付記２８から３４のいずれか１項に記載の通信ネットワークテスト装置。
（付記36）
前記NASメッセージは、少なくとも１つのRadio Resource Control（RRC）メッセージに組み込まれる
付記３５に記載の通信ネットワークテスト装置。
（付記37）
前記少なくとも１つのメッセージは、ダウンリンク情報転送メッセージを含む
付記３６に記載の通信ネットワークテスト装置。
（付記38）
前記開始する手段により開始される前記テストは、ループバックテストである
付記２７から３７のいずれか１項に記載の通信ネットワークテスト装置。
（付記39）
前記通信する手段は、前記部分集合の前記少なくとも１つの通信ベアラを用いて前記通信装置へテストパケットを送信する
付記２７から３８のいずれか１項に記載の通信ネットワークテスト装置。
（付記40）
前記通信する手段は、前記テストの一部として、テストパケットを前記通信装置から受信する
付記２７から３９のいずれか１項に記載の通信ネットワークテスト装置。
（付記41）
前記複数の通信ベアラは、少なくとも１つのＥＰＳ通信ベアラを含む
付記２７から４０のいずれか１項に記載の通信ネットワークテスト装置。
（付記42）
前記判断する手段は、前記部分集合が前記通信装置の少なくとも１つの特定の機能性（例えば、中継機能性（relay functionality）、又は、非中継機能性（non-relay functionality））に関連付けられていない通信ベアラであるように、通信ベアラを選択する
付記２７から４１のいずれか１項に記載の通信ネットワークテスト装置。
（付記43）
前記判断する手段は、前記部分集合が前記通信装置の少なくとも１つの特定の機能性（例えば、中継機能性（relay functionality）、又は、非中継機能性（non-relay functionality））に関連付けられる通信ベアラであるように、通信ベアラを選択する
付記２７から４２のいずれか１項に記載の通信ネットワークテスト装置。
（付記44）
前記判断する手段は、前記テストが開始されていた場合、前記テストが終了されることになっている前記部分集合の少なくとも１つの通信ベアラを判断する
付記２７から４３のいずれか１項に記載の通信ネットワークテスト装置。
（付記45）
前記開始する手段は、前記テストが終了されることになっている前記部分集合の少なくとも１つの通信ベアラの終了（termination）を開始する（initiate）
付記４４に記載の通信ネットワークテスト装置。
（付記46）
前記開始する手段は、前記通信装置へ前記テストを終了するためのメッセージを受信し、
前記テストを終了するためのメッセージは、前記テストが終了されることになっている各通信ベアラを識別するデータを含む
付記４５に記載の通信ネットワークテスト装置。
（付記47）
前記テストを終了するためのメッセージは、前記通信装置に関連付けられた前記複数の通信ベアラの各通信ベアラに関連付けられた少なくとも１つの個別のビットを含むビットパターンを備える
付記４６に記載の通信ネットワークテスト装置。
（付記48）
前記ビットのそれぞれは、前記テストが前記通信ベアラについて終了されることになっている場合、所定の値が設定される
付記４７に記載の通信ネットワークテスト装置。
（付記49）
前記メッセージは、前記テストが終了されることになっている前記部分集合の各通信ベアラについてのベアラ識別子（例えば、EPSベアラID、又は、EBI）を含む
付記４６から４８のいずれか１項に記載の通信ネットワークテスト装置。
（付記50）
前記メッセージは、ＮＡＳメッセージを含む
付記４６から４９のいずれか１項に記載の通信ネットワークテスト装置。
（付記51）
前記NASメッセージは、少なくとも１つのRRCメッセージに組み込まれる
付記５０に記載の通信ネットワークテスト装置。
（付記52）
前記少なくとも１つのメッセージは、ダウンリンク情報転送メッセージを含む
付記５１に記載の通信ネットワークテスト装置。
（付記53）
通信装置の動作を監視する通信ネットワークテスト装置と通信するための通信装置であって、
前記通信装置は、
前記通信装置に関連付けられた複数の通信ベアラを運用し、
テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断し（determine）、
前記部分集合内の各通信ベアラが使用され、かつ、前記部分集合以外の各通信ベアラが使用されないテストに従って、前記通信ネットワークテスト装置と通信する
プロセッサを備える。
（付記54）
通信装置の動作を監視するための通信ネットワークテスト装置であって、
前記通信ネットワークテスト装置は、
前記通信装置と通信し、
前記通信装置に関連付けられた複数の通信ベアラのそれぞれを識別し、
テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断し（determine）、
前記部分集合内の各通信ベアラが使用され、かつ、前記部分集合以外の各通信ベアラが使用されないテストを開始する（initiate）
プロセッサを備える。
（付記55）
付記１から２６及び５３のいずれか１項に記載の前記通信装置、及び、付記２７から５２及び５４のいずれか１項に記載の前記通信ネットワークテスト装置を備える通信システム。
（付記56）
通信装置の動作を監視する通信ネットワークテスト装置と通信するための通信装置により実行される方法であって、
前記方法は、
前記通信装置に関連付けられた複数の通信ベアラを確立し、
テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断し（determining）、
前記部分集合内の各通信ベアラが使用され、かつ、前記部分集合以外の各通信ベアラが使用されないテストに従って、前記通信ネットワークテスト装置と通信する。
（付記57）
通信装置の動作を監視するための通信ネットワークテスト装置により実行される方法であって、
前記方法は、
前記通信装置と通信し、
前記通信装置に関連付けられた複数の通信ベアラのそれぞれを識別し、
テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断し（determining）、
前記部分集合内の各通信ベアラが使用され、かつ、前記部分集合以外の各通信ベアラが使用されないテストを開始する（initiate）。
（付記58）
付記１から２６又は５３のいずれか１項に記載の前記通信装置、及び、付記２７から５２又は５４のいずれか１項に記載の前記通信ネットワークテスト装置を制御する処理をコンピュータに実行させる制御プログラムを格納する非一時的なコンピュータ可読媒体。